(57)【要約】      （修正有）【課題】応援バットと風船を膨らませるポンプとを兼ねた風船膨らませ機構付き応援バットを提供する。【解決手段】第１殴打部と、第１殴打部の一端部に縮径部を経て形成された第１把持部と、第１把持部の他端部に形成された第１把持端部と、を備える第１筒状体１１と、第２殴打部と、第２殴打部の一端部に縮径部を経て形成された第２把持部と、第２把持部の他端部に形成された第２把持端部と、を備える第２筒状体３８と、を備える風船膨らまし機構付き応援バット１０であって、第１把持端部には第１逆止弁を備える風船の挟持及び発射機構が形成され、第２把持端部には端部に内側に第２逆止弁を備える空気取入口が形成され、第２殴打部の外径は第１殴打部の内径よりも小さくされて、第２殴打部は第１殴打部の内側に挿入及び摺動できるように形成されている。【選択図】図１
2011234766.tif 000002
【特許請求の範囲】
【請求項１】
円筒状の第１殴打部と、前記第１殴打部の一端部に縮径部を経て形成された前記第１殴打部よりも細径の中空円筒状の第１把持部と、前記第１把持部の他端部に形成された前記第１把持部よりも大径かつ中空の第１把持端部と、を備える第１筒状体と、
円筒状の第２殴打部と、前記第２殴打部の一端部に縮径部を経て形成された前記第２殴打部よりも細径の円筒状の第２把持部と、前記第２把持部の他端部に形成された前記第２把持部よりも大径かつ中空の第２把持端部と、を備える第２筒状体と、
を備える風船膨らまし機構付き応援バットであって、
前記第１把持端部には第１逆止弁を備える風船の挟持及び発射機構が形成され、
前記第２把持端部には端部に内側に第２逆止弁を備える空気取入口が形成され、
前記第２殴打部の外径は前記第１殴打部の内径よりも小さくされて、前記第２殴打部は前記第１殴打部の内側に挿入及び摺動できるように形成されていることを特徴とする風船膨らまし機構付き応援バット。
【請求項２】
前記第２殴打部には、前記第１殴打部の内壁と摺動される少なくとも一重の環状突起が形成されていることを特徴とする請求項１に記載の風船膨らまし機構付き応援バット。
【請求項３】
前記第２殴打部の他端部は、中央に開口が形成された壁で覆われていることを特徴とする請求項１に記載の風船膨らまし機構付き応援バット。
【請求項４】
前記空気取入口は、前記第２把持端部に形成されたキャップ装着部に着脱自在に装着されるキャップに形成されており、
前記第２逆止弁は、前記第２殴打部と前記キャップとの間に配設されていることを特徴とする請求項１に記載の風船膨らまし機構付き応援バット。
【請求項５】
前記第１逆止弁は、前記第１筒状体内から外部へ流れる空気は通過し、その逆の空気の流れは遮断するものであり、前記第２逆止弁は、外部から前記第２筒状体内へ流れる空気は通過し、その逆の空気の流れは遮断するものであることを特徴とする請求項１に記載の風船膨らまし機構付き応援バット。
【請求項６】
前記第１筒状体には、前記第１殴打部を覆うカバーが着脱自在に装着されていることを特徴とする請求項１に記載の風船膨らまし機構付き応援バット。
【請求項７】
前記第１把持部と前記第２把持部は、互いに紐状体を介して連結されていることを特徴とする請求項１に記載の風船膨らませ機能付き応援バット。
【請求項８】
前記第１把持端部は、前記第１把持部に着脱自在に取り付けられていることを特徴とする請求項１に記載の風船膨らまし機構付き応援バット。
【請求項９】
第１把持端部の風船の挟持及び発射機構は、
内筒と、
前記内筒の外周側にスライド可能に覆設されたスライダーを有する外筒と、
前記内筒の外周面から内周面まで貫通された複数個の小穴と、
前記小穴の内周面側の径よりも若干大きな外径を有し、前記小穴にその一部が挿入されるとともに前記外筒の内周面により押圧される小球と、
を備えており、
前記小球が前記外筒の内周面に押圧されることで前記小球の一部が内筒内に突出することにより前記飛翔物（風船）が狭持され、
前記飛翔物が装着された方向とは反対方向へ前記スライダーをスライドさせることにより、前記小球の押圧状態を解除することを特徴とする請求項１〜８のいずれかに記載の風船膨らまし機構付き応援バット。
【発明の詳細な説明】
【技術分野】
【０００１】
本発明は、風船膨らませ機構付き応援バットに関し、詳しくは、風船等を取付けて狭持することが可能であり、かつ風船取付時には風船に空気を吹込み、この風船を空中へ飛翔させることができると共に、風船を狭持等していないときには２つに分割して打楽器等の応援バットとして使用することができる風船膨らませ機構付き応援バットに関する。
【背景技術】
【０００２】
スポーツ観戦、特に野球観戦において、ファンがひいきチーム応援の一環として、手拍子や打楽器等で音を発生させたり、風船を一斉に飛翔させたりすることが慣習として行われている。
【０００３】
ここで、例えば野球観戦時における風船の飛翔は所定回に行われるが、飛翔させるための事前準備、具体的には、風船を取り出し、その中へ空気を吹込み、飛ばす等の準備は、概ね飛翔させる回の前の相手方チームの攻撃中に行われている。風船への空気の吹込みは、風船の大きさによって異なるが、１回の吹込みのみでは不足し、通常、２〜３回に分けて行われ、空気が吹き込まれた風船は空気がもれないように吹込み口を２本の指先で挟むことにより保持されている。
【０００４】
ところが、試合の状況により相手方チームの攻撃が予測時間以上に長引き、飛翔させるタイミングが予測と違ってしまうことがある。このような場合、空気が吹き込まれた風船の吹込み口を長い時間指先で空気が漏れないようにして挟持し続けなければならず、この挟持には力がいるため子供にとっても大人にとっても苦痛になってしまうことがある。この苦痛は、両方の手に１個ずつ風船を保持している場合は更に増大し、待ちきれずにせっかく封入した空気を抜いてしまい、再度、風船に空気を吹き込まなければならない事態も生じ、風船を飛翔させるタイミングを失してしまうことがある。
【０００５】
このような観点からの不都合を解消することを目的とした従来技術として、風船に空気を吹込み、この風船を空中へ飛翔させる風船飛翔玩具等について、いくつか特許文献に開示されている（例えば、下記特許文献１〜３参照）。
【０００６】
図１４は、下記特許文献１に記載された風船飛翔玩具の断面図である。この風船飛翔玩具は、風船１０１の口部に取り付けた口筒１０２が着脱自在な風船連結体１０３と、風船連結体１０３を介して風船１０１内に空気を送入して膨らまし状態とする空気ポンプ１０４と、風船１０１の口部に取り付けた口筒１０２に対し係止して風船連結体１０３からの風船１０１の離脱を防止すると共にその係止状態を解除して風船１０１内の空気の噴出による風船１０１の飛び出しを可能とするストッパー１０５と、カム機構等を介して空気ポンプ１０４を圧縮することによって空気ポンプ１０４による空気の送り出しを可能とする回転操作用のハンドル１０６とを備えて構成されている。この風船飛翔玩具によれば、ハンドル１０６を回転させるだけで空気ポンプ１０４から風船１０１内に空気が送り込まれて風船１０１を膨らませることができるので、操作が容易となるという効果を奏するものである。
【０００７】
また、図１５は、下記特許文献２に記載されている空気ポンプを備えた風船玩具の断面図である。この風船玩具は、連結パイプ２０１の一端に空気ポンプ２０２を備え、所定の風船２０３の口部内に強制嵌入した口筒２０４を連結パイプ２０１の他端に着脱自在に嵌着し、風船２０３内の圧縮空気によって連結パイプ２０１から飛び出し付勢される口筒２０４を係脱自在に固定せしめるストッパーを連結パイプ２０１に設けた構成を備えている。この風船玩具によれば、風船玩具と風船ポンプとがコンパクトに一体化され、膨らませた風船をいつでも発射させることが可能となるという効果を奏するものである。
【０００８】
また、図１６は、下記特許文献３に記載されている風船ポンプの斜視図である。この風船ポンプは、外筒３０１の一端と、該外筒に摺接する内筒３０２の一端とにそれぞれ逆止弁３０３を取り付けるとともに、上記外筒３０１に逆止弁３０３を覆うようにして、通気口３０４を有するキャップを冠せてなる構成を備えている。この風船ポンプによれば、内筒３０２を外筒３０１に突入させることで通気孔３０４から効率よく風船内に空気を取り入れることができ、また、外筒３０１内に空気を取り入れるため、内筒３０２を脱出方向へ摺動させたときにおいても、逆止弁３０３により外筒３０１内への空気の逆流を防ぐことができ、他方、内筒３０２内には空気を流入させることができるという効果を奏するものである。
【先行技術文献】
【特許文献】
【０００９】
【特許文献１】実開平７−１９９４号公報（図３、段落〔０００４〕）
【特許文献２】実開昭６３−１５９４号公報（請求項１）
【特許文献３】実開昭５９−１９０９８０号公報（考案の詳細な説明）
【特許文献４】特開２００５−２３０１１２号公報
【発明の概要】
【発明が解決しようとする課題】
【００１０】
しかし、上記特許文献１及び２に記載の「風船飛翔玩具」及び「風船玩具」の発明によれば、本体部分から持ち手部分が突出するように構成されているため、装置全体が大きくなってしまい、メガホン等の他の応援グッズをも有している観戦ファンにとっては荷物がかさばる原因となるのみならず、故障しやすいものとなっていた。また、風船を把持するための手段が、風船の空気導入口部分の一端部を片持ちで係止するのみであるため、均等に風船を把持することができず、スムーズに風船をリリースできないことから、狙った方向に確実に風船を飛ばすことができないという課題も存在している。
【００１１】
また、上記特許文献３に記載の「風船ポンプ」によれば、簡単に風船を膨らませることはできるが、それ自体で風船を飛ばすことができないため、上述のような所望の目的を果たすことができない。
【００１２】
また、上記特許文献１及び２に記載されている「風船飛翔玩具」等を所持してスポーツ観戦の応援をする際には、これらの「風船飛翔玩具」は、主に風船を膨らませて飛翔させる行為のみに使用され、他の状況においては使用されることがなく、通常の応援時には邪魔になるという課題も存在する。
【００１３】
また、応援で使用される打楽器として、例えばバットの形状をした玩具を両手に持ち、それらを叩き合わせることで音を発生させるものが知られており、多くの観客が応援で使用されている。このとき、これらのバットと上記風船飛翔玩具等を共に応援で使用しようとすると、さらに荷物が増え、応援の邪魔となることになる。
【００１４】
なお、上記特許文献４には、バット型風船発射装置の発明が開示されている。しかし、このバット型風船発射装置を打楽器として使用して叩き合わせると、風船発射装置の構造部分の故障につながり、風船を発射させることができなくなる。さらに、このバット型風船発射装置を打楽器として使用する際には、同一のものを複数買い揃えなければならないため、使用者の経済的負担にもなる。
【００１５】
本願の発明者等は、上記の従来技術の問題点を解消すべく種々検討を重ねた結果、風船に空気を送り込むポンプをそれぞれ分割して使用できるバットの形状とすることで、応援時には打楽器用のバットとして使用し、風船を飛翔させるときにポンプとして使用できるようにすれば、常に応援に使用することができるようになるので、使用者の邪魔にならず、使い勝手のよい応援グッズとすることができることを見出し、本発明を完成するに至ったものである。
【課題を解決するための手段】
【００１６】
上記課題を解決するために、本発明の第１の態様の風船膨らまし機構付き応援バットは、
円筒状の第１殴打部と、前記第１殴打部の一端部に縮径部を経て形成された前記第１殴打部よりも細径の中空円筒状の第１把持部と、前記第１把持部の他端部に形成された前記第１把持部よりも大径かつ中空の第１把持端部と、を備える第１筒状体と、
円筒状の第２殴打部と、前記第２殴打部の一端部に縮径部を経て形成された前記第２殴打部よりも細径の円筒状の第２把持部と、前記第２把持部の他端部に形成された前記第２把持部よりも大径かつ中空の第２把持端部と、を備える第２筒状体と、
を備える風船膨らまし機構付き応援バットであって、
前記第１把持端部には第１逆止弁を備える風船の挟持及び発射機構が形成され、
前記第２把持端部には端部に内側に第２逆止弁を備える空気取入口が形成され、
前記第２殴打部の外径は前記第１殴打部の内径よりも小さくされて、前記第２殴打部は前記第１殴打部の内側に挿入及び摺動できるように形成されていることを特徴とする。
【００１７】
また、第２の態様の風船膨らませ機構付き応援バットにおいては、前記第２殴打部には、前記第１殴打部の内壁と摺動される少なくとも一重の環状突起が形成されていることを特徴とする。
【００１８】
また、第３の態様の風船膨らませ機構付き応援バットにおいては、前記第２殴打部の他端部は、中央に開口が形成された壁で覆われていることを特徴とする。
【００１９】
また、第４の態様の風船膨らませ機構付き応援バットにおいては、前記空気取入口は、前記第２把持端部に形成されたキャップ装着部に着脱自在に装着されるキャップに形成されており、
前記第２逆止弁は、前記第２殴打部と前記キャップとの間に配設されていることを特徴とする。
【００２０】
また、第５の態様の風船膨らませ機構付き応援バットにおいては、前記第１逆止弁は、前記第１筒状体内から外部へ流れる空気は通過し、その逆の空気の流れは遮断するものであり、前記第２逆止弁は、外部から前記第２筒状体内へ流れる空気は通過し、その逆の空気の流れは遮断するものであることことを特徴とする。
【００２１】
また、第６の態様の風船膨らませ機構付き応援バットにおいては、前記第１筒状体には、前記第１殴打部を覆うカバーが着脱自在に装着されていることを特徴とする。
【００２２】
また、第７の態様の風船膨らませ機構付き応援バットにおいては、前記第１把持部と前記第２把持部は、互いに紐状体を介して連結されていることを特徴とする。
【００２３】
また、第８の態様の風船膨らませ機構付き応援バットにおいては、前記第１把持端部は、前記第１把持部に着脱自在に取り付けられていることを特徴とする。
【００２４】
また、第９の態様の風船膨らませ機構付き応援バットにおいては、第１把持端部の風船の挟持及び発射機構は、
内筒と、
前記内筒の外周側にスライド可能に覆設されたスライダーを有する外筒と、
前記内筒の外周面から内周面まで貫通された複数個の小穴と、
前記小穴の内周面側の径よりも若干大きな外径を有し、前記小穴にその一部が挿入されるとともに前記外筒の内周面により押圧される小球と、
を備えており、
前記小球が前記外筒の内周面に押圧されることで前記小球の一部が内筒内に突出することにより前記飛翔物（風船）が狭持され、
前記飛翔物が装着された方向とは反対方向へ前記スライダーをスライドさせることにより、前記小球の押圧状態を解除することを特徴とする。
【発明の効果】
【００２５】
本発明においては、第１の態様の風船膨らまし機構付き応援バットでは、第１筒状体と第２筒状体をばらばらにした状態では、それぞれを互いを叩き合わせることで音を発生させる応援バットとして使用することができ、また、第１筒状体の第１殴打部の内部に第２筒状体の第２殴打部を挿入し、第２殴打部を第１殴打部に対して摺動させることで、第２筒状体の空気取入口から空気が取入れられ、第１筒状体の第１殴打部及び第１把持部を経て風船の挟持及び発射機構から空気を排出されることができる空気ポンプとして使用することができる。このような構造とすることで、応援時の例えば風船を飛ばすときには空気ポンプとして使用して風船を膨らまし及び飛ばすことができ、風船を飛ばさない他の応援の時には応援バットとして使用することができるので、応援時には常に使用することができるようになる。
【００２６】
また、第２の態様の風船膨らまし機構付き応援バットによれば、環状突起が形成されることにより、第１殴打部の内壁と第２殴打部の外壁が隙間なく摺動されるので、空気が洩れることを抑制し、効率よく空気の出し入れを行うことができる。
【００２７】
また、第３の態様の風船膨らまし機構付き応援バットによれば、第２殴打部の端部には、中央に開口が形成された壁で覆われているため、この壁の存在により第２殴打部を第１殴打部の開口内に挿入しやすくなる。
【００２８】
また、第４の態様の風船膨らまし機構付き応援バットによれば、空気取入口の開口を第２筒状体とは別のキャップに形成したので、このキャップを第２筒状体の第２フランジ部に装着することにより第２逆止弁を固定することができるから、各部品の製造が容易となるとともに、組み立ても容易となる。
【００２９】
また、第５の態様の風船膨らまし機構付き応援バットでは、第２筒状体を第１筒状体から引き抜くように作動させると、空気は入ることはできるが、出て行くことができず、一方、第１筒状体では、空気は出て行くことはできるが、入ることができない構造とすることができる。このような構造にすることにより、効率よく、空気の出し入れができるようになる。
【００３０】
また、第６の態様の風船膨らまし機構付き応援バットによれば、第１筒状体にカバーを装着することで、打楽器として使用したときの衝撃を吸収し壊れにくくすることができる。また、カバーは様々な材質やデザインのものに取り替えることができるので、使用者が好みのデザインの応援バットを作成することができる。そのため、様々なレジャーで使用することができる。なお、カバーの材質としては、たとえば、プラスチックシート、スポンジ、革、起毛材などがある。
【００３１】
また、第７の態様の風船膨らませ機能付き応援バットによれば、第１筒状体と第２筒状体とが紐状の物体で結ばれているので、それぞれがばらばらになって紛失してしまうことが抑制できる。さらに、紐状体を首から掛けることで、操作者の両手を自由に活用することができるようになる。
【００３２】
また、第８の態様の風船膨らまし機構付き応援バットによれば、第１把持端部の取り外しが可能なので、第１把持端部の故障時に簡単に取り替えることができる。また、第１把持端部を風船の挟持及び発射機構以外のアタッチメントに取り替えることが可能となり、様々な用途に使用することができる。
【００３３】
また、第９の態様の風船膨らまし機構付き応援バットによれば、狭持機構は、内筒の外周側に覆設された外筒と、内筒の外周面から内周面まで貫通された複数個の小穴にその一部が挿入される小球が、内筒の外周側に覆設された外筒の内周面により押圧され内筒内に一部突出して飛翔物を狭持するので、確実に飛翔物の脱落を抑制できる。また、発射機構は、飛翔物が装着された方向とは反対方向へ外筒のスライダーをスライドさせることにより小球の押圧状態を均等に解除するので、確実に飛翔物を取り外すことができると共に、狙った方向に確実に風船を飛翔させることができる。
【図面の簡単な説明】
【００３４】
【図１】本発明の風船膨らませ機構つき応援バットの側面図である。
【図２】図２Ａは、本発明の風船膨らませ機構つき応援バットの応援バット使用時を示した側面図であり、図２Ｂは、本発明の風船膨らませ機構つき応援バットの風船膨らませ機構のポンプ使用時を示した側面図である。
【図３】第１筒状体の分解図である。
【図４】図３のIV−IV線での断面図である。
【図５】図３のＶ−Ｖ線での断面図である。
【図６】第２筒状体の分解図である。
【図７】図６のVII−VII線での断面図である。
【図８】図８Ａは、第２逆止弁の斜視図であり、図８Ｂは、図６のVIIIＢ−VIIIＢ線での断面図であり、図８Ｃは、図６のVIIIＣ−VIIIＣ線での断面図である。
【図９】第２把持端部の拡大断面図である。
【図１０】図１０Ａ〜図１０Ｃは、本発明の風船膨らませ機構つき応援バットのポンプ使用時の動作を説明する図である。
【図１１】図１１Ａ〜図１１Ｃは、本発明の風船膨らませ機構つき応援バットのポンプ使用時の動作を説明する図である。
【図１２】図１２Ａは、第２筒状体の第２把持端部の狭持及び発射機構を示した拡大断面図であり、図１２Ｂは、図１２Ａの位置からスライダーを移動させた場合を示す拡大断面図である。
【図１３】風船の発射時を示した斜視図である。
【図１４】従来例の風船飛翔玩具の断面図である。
【図１５】他の従来例の空気ポンプを備えた風船玩具の断面図である。
【図１６】他の従来例の風船ポンプの斜視図である。
【発明を実施するための形態】
【００３５】
以下、本発明を実施するための形態について、実施形態及び図面を参照しながら詳細に説明する。ただし、以下に示す実施形態は、本発明の技術思想を具体化するための風船膨らませ機構付き応援バットを例にとって説明するものであって、本発明をこの実施形態に記載された風船膨らませ機構付き応援バットに特定することを意図するものではなく、本発明は特許請求の範囲に含まれるその他の実施形態のものにも等しく適応し得るものである。
【００３６】
［実施形態１］
実施形態１に係る風船膨らませ機構付き応援バット１０（以下、単に「応援バット」ともいう。）は、図１に示すような、野球等で使用されるバットの形状を模した、略相似形の第１筒状体１１と第２筒状体３８で構成されている。そして、図２Ａに示すように、第１筒状体１１の第１殴打部１２と第２筒状体３８の第２殴打部３９を叩き合わせて応援バットとして使用することができ、また、図２Ｂに示すように、第１筒状体１１に第２筒状体３８を挿入することでポンプとなり、風船膨らませ機構として使用することができる。なお、これらの詳細な使用例は後述する。
【００３７】
以下、図３〜図９を参照して、各部品について説明する。
【００３８】
第１筒状体１１は、図３に示すように、第１殴打部１２と、第１殴打部１２の一端部に第１縮径部１７を経て形成された第１把持部１８と、第１把持部１８の他端部に形成された第１把持端部１９とで構成され、また、第１殴打部１２には、カバー３６が装着されている。さらに、第１把持端部１９は、第１ストッパー２０と、ホルダー装着部２１と、ホルダー２２とで構成されている。
【００３９】
図４に示すように、第１筒状体１１の第１殴打部１２は、所定径を有する中空の円筒状体で形成されており、応援時、後述する第２殴打部３９と叩き合わせることで、音を発する打楽器として使用される外壁１５と、風船を膨らませる際のポンプの一部となる内壁１６とを有している。また、第１殴打部１２の端部には、後述する第２筒状体３８が内部に挿入される部分となる大型開口１４が形成され、この大型開口１４と第１殴打部１２との近傍にはフランジ部１３が形成されている。このフランジ部１３が形成されることにより、大型開口１４が形成された中空の第１殴打部１２の強度を上げることができる。
【００４０】
さらに、第１殴打部１２の外壁１５には、図３、図４に示すような、所定の厚さを有するカバー３６が装着されるカバー装着部３７（図４のＹ１部拡大図参照）が形成されており、このカバー装着部３７は、カバー３６の厚みが格納できるような断差によって形成されている。また、カバー３６は着脱自在に装着されるようにしてもよく、着脱自在にされることにより、例えば、カバー３６をひいきのチームや選手等の様々なデザインのものに取り替えることで、使用者の好みの応援バット１０を作成することができる。また、カバー３６の材質を変えることで、応援バット１０を打楽器として使用する際に、カバー３６の材質を選択することにより叩き合わせるときの衝撃を吸収し、破損を抑制することもでき、反対に、より大きな音を出すようにすることもできる。
【００４１】
第１筒状体１１の第１把持部１８は、第１殴打部１２より小径の中空の円筒状体で形成され、応援時、使用者が手で持って使用する部分である。この第１把持部１８は、第１殴打部１２と径が異なるため、径の大きさが徐々に変化する第１縮径部１７が設けられて繋げられている。この第１縮径部１７は、図４では、傾斜面によって形成されているが、段差状の壁面で形成されてもよい。
【００４２】
第１筒状体１１の第１把持端部１９は、第１把持部１８を握って応援する際、勢いよく使用しても手から抜け出ないようにするために、第１殴打部１２より小径であるが、第１把持部１８より大径の筒状体で形成された第１ストッパー２０と、風船を飛翔させるときの風船の狭持及び発射機構５４及び風船に空気を送り込む空気送り込み機構５２を備えたホルダー２２と、このホルダー２２を装着させるホルダー装着部２１とで構成されている。なお、本実施形態では、ホルダー２２とホルダー装着部２１は、螺合により装着されているが、この装着手段は、これに限られない。
【００４３】
第１ストッパー２０は、前述したように、使用者が、使用中に手から飛び出さないように第１把持部１８より大径に形成され、この部分が手に引っ掛かるようになっている。このとき、第１ストッパー２０は、図４に示すように第１把持部１８と接続されている面がテーパー状に形成されていると、使用者の手があたったとき、痛みを伴わないので好ましい。
【００４４】
図５に示すように、ホルダー２２は、風船を膨らませる際に風船が狭持されると共に、この風船を発射させる狭持及び発射機構５４及び、風船に効率よく空気を送るための空気送り込み機構５２を有している。
【００４５】
ホルダー２２の狭持及び発射機構５４は、小穴３１と、外筒２６と、内筒２９と、スライダー２７と、ストップリング２３と、バネ３２と、小球３０と、を備えている。このとき、外筒２６の開口縁に、内筒２９と外筒２６との間に設けられたばね３２の弾性力により反復移動が可能なスライダー２７が形成されている。このスライダー２７はホルダー２２の外径よりやや突出して形成された操作部２８が形成されているため、指を掛けやすくなっており、これによりスライダー２７のスライド操作が容易となる。
【００４６】
ストップリング２３は、スライダー２７が内筒２９から外れることを抑制するために設けられ、内筒２９に形成された溝２４に嵌め込まれて装着されている。さらに、内筒２９の外周端部には小穴３１が形成されている。この小穴３１には小球３０が求遠心方向に移動自在に挿入されている。すなわち、小穴３１の幅は、内筒２９の外径側は小球３０の直径より広く、内筒２９の内径側は小球が求心方向に脱落しないが一部突出できる程度に形成されている。この小球３０の一部突出した部分に、風船のリング状の口筒５９の突出部６０（図１３参照）が狭持される。詳細は後述する。
【００４７】
また、空気送り込み機構５２は、第１逆止弁３３と、この第１逆止弁３３を固定させる押さえ板３４と、空気が透過可能で弾性力を有するスポンジパッキン２５とで構成されている。
【００４８】
この第１逆止弁３３は、第１筒状体１１内からの空気を外に通すことができるが、外からの空気は第１筒状体１１内に通さないような向きに弁が装着されている。また、押さえ板３４は、内筒２９に形成された凹状の溝２９ａに係合可能な突起３４ａが形成され、この突起３４ａと溝２９ａが係合されることにより押さえ板３４が固定されると共に第１逆止弁３３も固定し、第１逆止弁３３が外れてしまうことを抑制することができる。また、スポンジパッキン２５を設けることで、風船のリング状の口筒５９が狭持機構及び発射機構５４の狭持機構によりスポンジパッキン２５に押し付けられることで、スポンジ部分が変形し、口筒５９の周囲がスポンジで包まれることで、空気漏れを抑制することができる。さらに、風船内に急激に空気が送り込まれることを抑制し、風船の損壊を抑制することができる。また、ホルダー２２の空気吐出口２２ａと反対側の内筒２９部分には、ホルダー装着部２１と螺合するための螺子溝３５が形成されている。
【００４９】
なお、実施形態では、第１把持端部１９のホルダー２２部分を着脱自在に形成する例を示したが、これに限らず、ホルダー２２に第１ストッパー２０を形成し、これら全体を１つの部材として第１把持部１８から、着脱自在にするようにしてもよい。
【００５０】
次に、第２筒状体３８は、図６に示すように、第２殴打部３９と、第２殴打部３９の一端部に第２縮径部４３を経て形成された第２把持部４４と、第２把持部４４の他端部に形成された第２把持端部４５とを備えている。
【００５１】
図７に示すように、第２筒状体３８の第２殴打部３９は、第１殴打部１２の内径より小径で第１殴打部１２の内壁１６と摺動できる中空の筒状体で形成されている。このとき、第２殴打部３９の外壁部には、環状突起４０が少なくとも１本形成されている。この環状突起４０が形成されることにより、第１殴打部１２の内壁１６と第２殴打部３９との間に隙間が開くのを抑制することができ、空気漏れを抑制し効率よく空気を送ることができる。また、この環状突起４０が第１殴打部１２の内壁１６と摺動可能なように形成すればいいので、第２殴打部３９全体を第１殴打部１２の内壁１６に摺動させるように形成する必要がなくなるので、製造歩留まりのよい製品を製造することができる。なお、この環状突起４０は、２本以上あると第１筒状体１１と第２筒状体３８が安定して摺動するので、さらに好ましい。
【００５２】
また、第２殴打部３９の端部には、開口４２を有する壁４１が形成されている。この壁４１が形成されていることで、第２殴打部３９のたわみが抑制され、第１殴打部１２の大型開口１４に挿入しやすくなるとともに、第１殴打部１２のフランジ部１３と同様に、第２殴打部３９の強度を上げることもできる。第２殴打部３９の端部の開口４２は、第２筒状体３８が、ポンプとして使用されたときに、第２筒状体３８内に取り込まれた空気を第１筒状体１１に通過させるためのものである。
【００５３】
第２把持部４４は、第２殴打部３９より小径の中空の円筒状体で形成され、使用者が手に持って応援するときに使用される部分である。このとき、第１把持部１８と第２把持部４４の長さ及び径が等しいと使用者が握りやすく扱いやすいので好ましい。
【００５４】
また、第２把持部４４は、第２殴打部３９と径が異なるため、径の大きさが徐々に変化する第２縮径部４３によって繋がっている。この第２縮径部４３は、図５では、傾斜面によって形成されているが、階段状の壁面で形成されてもよい。
【００５５】
また、第２筒状体３８の第２把持端部４５は、第２ストッパー４６と、空気を取入れるための空気取入口５１が形成されたキャップ４８、第２ストッパー４６にキャップ４８を装着させるキャップ装着部４７とで構成されている。さらに、このとき第２ストッパー４６とキャップ４８との間には、第２逆止弁５３が備えられている。
【００５６】
第２ストッパー４６は、第２把持部４４を握って応援する際、勢いよく使用しても手から抜け出ないようにするために、第２殴打部３９より小径であるが、第２把持部４４より大径の筒状体で形成されており、第１ストッパー２０に比べ、第１把持端部１９のホルダー２２の長さの分、長手方向に長く形成されている。このようにすることで、第１筒状体１１と第２筒状体３８は略相似形に形成され、外観上美しくなる。
【００５７】
また、第２逆止弁５３は、図８Ａ、図８Ｂに示すように、中央に弁体５３ａが形成され、その周辺に２個の孔５５が形成された、幅薄の円形状で形成されている。この第２逆止弁５３は、外からの空気は取入れることができるが、第２筒状体３８内に取入れた空気を外に排出することはできないような向きに弁体５３ａが装着されている。また、第２逆止弁５３に形成された孔５５は、キャップに形成された柱状突起５０が貫通される。
【００５８】
また、キャップ４８は、図６、図８Ｃに示すように、中央に空気取入口５１が形成された底面４８ａを有する背短の円筒状をしている。そして、この底面４８ａの内側には、柱状突起５０が２本形成されているとともに、キャップ４８の底面４８ａの内側には小突起４９が複数形成されている。これらは、第２逆止弁５３の孔５５に柱状突起５０を貫通させ、さらに、この小突起４９と第２ストッパー４６の端部４６ａとで第２逆止弁５３を挟むことで第２逆止弁５３を強固に固定することができる。さらに、キャップ４８の内側には、第２ストッパー４６のキャップ装着部４７の溝４７ａと嵌合される嵌合爪５８が形成されている。
【００５９】
第２ストッパー４６とキャップ４８の装着方法は、図９に示したように、キャップ装着部４７の溝４７ａとキャップ４８の嵌合爪５８と嵌合させて行う。このとき、キャップ４８の柱状突起５０に第２逆止弁５３を貫通させることで、第２逆止弁５３がずれることなく装着させることができる。なお、装着方法はこれに限らず、螺合等でもよい。
【００６０】
次に、図１０、図１１を参照して実施形態の応援バットを風船に空気を吹き込むポンプとして使用される場合について説明する。なお図１０、図１１の風船は図示省略した。
【００６１】
図１０は、応援バット１０を風船膨らませ機構としてのポンプとして使用する場合においての、空気を風船に送り込むときの工程を示した図である。まず、図１０Ａに示すように、第１筒状体１１の大型開口１４に第２筒状体３８の第２殴打部３９を挿入する。このとき、第２殴打部３９の端部は壁４１が形成されているので、第２殴打部３９のたわみを抑制し、挿入しやすくなっている。また、第２殴打部３９の外周側には、環状突起４０が形成されているので、空気漏れを抑制することができる（図１０ＡのＹ２部拡大図参照）。このときの空気の流れは、第１筒状体１１に第２筒状体３８が挿入され始めることにより、第１筒状体１１内の空気が第２筒状体３８に押され始める。このとき、第２把持端部４５の第２逆止弁５３は、第２筒状体３８内の空気を空気取入口から外に出さない向きで装着されているので、空気は、第１筒状体１１のホルダー２２の方向へ向かうように流れることとなる。
【００６２】
次に、図１０Ｂに示すように、第２筒状体３８をさらに矢印Ｘ１の方向に摺動させる。このとき、第１把持端部１９のホルダー２２内の空気送り込み機構５２の第１逆止弁３３は、ホルダー２２の空気吐出口２２ａから外に吐出することができる向きに装着されているので、第１筒状体１１の空気が、第１逆止弁を押し開け、狭持及び発射機構５４に狭持された不図示の風船内に入りはじめる。そして、図１０Ｃに示すように、この空気の送り込みは第２殴打部３９が第１殴打部１２の最深部に到達、ずなわち、第１縮径部１７と接するまで続く。
【００６３】
次に、図１１を参照して、応援バット１０を風船膨らませ機構としてのポンプとして使用する場合においての、空気をポンプ内にためるときの工程を説明する。まず、図１１Ａに示すように、第２筒状体３８を第１筒状体１１から引き抜く方向（矢印Ｘ２の方向）に摺動させることで、第１筒状体１１内に空間が生まれ、この空間に空気が流れ込もうとする。このとき、第１把持端部１９の第１逆止弁３３は、第１筒状体１１内の空気をホルダー２２の空気吐出口２２ａから外に出さない向きで装着されているので、空気は空気吐出口２２ａから入ってくることはない。すなわち、膨らませている途中の風船から空気が戻ることはない。一方、第２把持端部４５の第２逆止弁５３は、空気が外から第２筒状体３８内に入るような向きに装着されているので、この第２把持端部４５の空気取入口５１から空気が取入れられることとなる。そして、第２把持端部４５のキャップ４８の空気取入口５１から、第２逆止弁５３を押し開け第２筒状体３８内に取り入れられた空気が、第２殴打部３９の端部の壁４１に形成された開口４２を通り、第１筒状体１１内に流れ込み、第１筒状体１１が空気で満たされていくこととなる（図１１Ｂ参照）。
【００６４】
そして、図１１Ｃに示すように、第１筒状体１１と第２筒状体３８が抜けない程度まで引き抜く方向に摺動されることで、第１筒状体１１と第２筒状体３８内が空気で満たされることになる。
【００６５】
そして、図１０と図１１の工程を繰り返すことで、第１筒状体１１と第２筒状体３８は、風船膨らませ機構としてのポンプとして使用することができる。
【００６６】
次に、図１２、図１３を参照して風船の狭持及び発射機構５４の発射機構について説明する。風船の発射機構は、上記のように膨らませた風船を使用者がワンタッチで発射させるための機構である。
【００６７】
所定の大きさまで風船を膨らませた後、風船６１を発射させる際には外筒２６のスライダー２７を風船と反対方向（矢印Ｘ３の方向）へスライドさせる。これにより、風船６１のリング状の口筒５９と内筒２９の小穴３１に挿入された小球３０との係止状態が解除され、膨らんだ風船６１内の圧縮空気により風船が飛び出す付勢力が作用し、ホルダー２２から飛び出すこととなる。具体的には、風船６１のリング状の口筒５９に形成された突出部６０がスライダー２７で押圧されて係止されていた小球３０が、外筒２６のスライダー２７を風船６１とは反対方向へスライドすることにより、小穴３１よりも幅狭に形成された小球３０が遠心方向又は求心方向へ移動自在の状態となる。したがって、小球３０は風船６１のリング状の口筒５９の突出部６０を係止する力がなくなり、リング状の口筒５９の係止状態が解除される。
【００６８】
なお、スライダー２７をスライドする際には、スライダー２７に形成された操作部２８に指を掛けることによって行うことができる。操作部２８は、片手でスライダー２７をスライドできるよう、スライダー２７に例えば親指が引っ掛かる程度突出した長さであることが好ましい。
【００６９】
また、本発明の風船膨らませ機構付き応援バットでは、第１筒状体と第２筒状体を紐状のもので連結してもよい。このようにすることで、第１筒状体と第２筒状体がバラバラになり、紛失することを抑制することができる。さらに、この紐状ものを首から掛けることで、使用者は、両手を自由にすることができる。
【００７０】
また、第１把持端部のホルダー装着部に、他のアタッチメントを接続するようにすることで、利用範囲を広げることができる。他のアタッチメントとしては、例えば、通常の空気入れとして使用するもできる。
【符号の説明】
【００７１】
１０：応援バット  １１：第１筒状体  １２：第１殴打部  １３：フランジ部  １４：大型開口  １５：外壁  １６：内壁  １７：第１縮径部  １８：第１把持部  １９：第１把持端部  ２０：第１ストッパー  ２１：ホルダー装着部  ２２：ホルダー  ２２ａ：空気吐出口  ２３：ストップリング  ２４：溝  ２５：スポンジパッキン  ２６：外筒  ２７：スライダー  ２８：操作部  ２９ａ：溝  ２９：内筒  ３０：小球  ３１：小穴  ３２：バネ  ３３：第１逆止弁  ３４ａ：突起  ３４：押さえ板  ３５：螺子溝  ３６：カバー  ３７：カバー装着部  ３８：第２筒状体  ３９：第２殴打部  ４０：環状突起  ４１：壁  ４２：開口  ４３：第２縮径部  ４４：第２把持部  ４５：第２把持端部  ４６：第２ストッパー  ４６ａ：端部  ４７：キャップ装着部  ４７ａ：溝  ４８：キャップ  ４８ａ：底面  ４９：小突起  ５０：柱状突起  ５１：空気取入口  ５２：空気送り込み機構  ５３：第２逆止弁  ５３ａ：弁体  ５４：狭持及び発射機構  ５５：孔  ５８：嵌合爪  ５９：口筒  ６０：突出部  ６１：風船  
【図１】
2011234766.tif 000003
【図２】
2011234766.tif 000004
【図３】
2011234766.tif 000005
【図４】
2011234766.tif 000006
【図５】
2011234766.tif 000007
【図６】
2011234766.tif 000008
【図７】
2011234766.tif 000009
【図８】
2011234766.tif 000010
【図９】
2011234766.tif 000011
【図１０】
2011234766.tif 000012
【図１１】
2011234766.tif 000013
【図１２】
2011234766.tif 000014
【図１３】
2011234766.tif 000015
【図１４】
2011234766.tif 000016
【図１５】
2011234766.tif 000017
【図１６】
2011234766.tif 000018